(57)【特許請求の範囲】
【請求項１】
ＩＣカードから情報を読み出すと共に情報を書き込むためのＩＣカードリードライタと、当該ＩＣカードリードライタに接続されて商品又はサービスの売上状況を管理するＰＯＳ端末から成るＩＣカードＰＯＳシステムであって、
前記ＰＯＳ端末は、前記ＩＣカードリードライタによって読み出された前記ＩＣカードの情報を表示する表示手段と、
前記ＩＣカードに書き込むべきＩＣカードの情報を入力する入力手段とを備え、
前記ＩＣカードリードライタは、前記ＩＣカードから情報を読み取る読取手段と、
前記入力手段を介して入力された前記ＩＣカードの情報を前記ＩＣカードに書き込む書込手段と、
前記ＩＣカードの使用履歴とカードＩＤと氏名とを含む情報をレシートとして出力する出力手段とを備えたことを特徴とするＩＣカードＰＯＳシステム。
【請求項２】
前記使用履歴は、ＰＯＳでの購入日付、プリペイド入金額、プリペイド利用額、プリペイド残高、ポストペイド利用額、及び、未精算金額である、請求項１に記載のＩＣカードＰＯＳシステム。
【請求項３】
前記ＩＣカードの情報は、特定商品の販売可否を示すことを特徴とする請求項１記載のＩＣカードＰＯＳシステム。
【請求項４】
前記書込手段は、前記入力手段を介して入力されたＩＣカードの情報に基づいて貨幣代替価値を前記ＩＣカードに書き込むことを特徴とする請求項１記載のＩＣカードＰＯＳシステム。
【請求項５】
前記ＰＯＳ端末は、前記読取手段によって読み取られたＩＣカードの情報を出力するプリンタを更に備えた請求項１記載のＩＣカードＰＯＳシステム。
【発明の詳細な説明】
【０００１】
【発明の属する技術分野】
本発明は、病院またはホテル等で貨幣代替手段として用いられるＩＣカードの情報とサービス・商品等の売上を管理するＰＯＳシステムの情報を連携するＩＣカードＰＯＳシステムに関する。
【０００２】
【従来の技術】
ＰＯＳ（Ｐｏｉｎｔ  Ｏｆ  Ｓａｌｅｓ）システムは、小売店等において広く活用されている。このＰＯＳシステムは、どの商品がいつ、いくらで売られたかを把握するために、実際に商品を販売した時に単品情報を収集し、コンピュータで管理するためのシステムである。言い換えれば、ＰＯＳシステムは、ＰＯＳ端末（レジスタ、パソコン等）から入力されたデータをリアルタイムで管理するシステムである。
【０００３】
また、ＩＣ（Ｉｎｔｅｇｒａｔｅｄ  Ｃｉｒｃｕｉｔ）カードをポストペイドカード（又はプリペイドカード）として用い、患者や宿泊客が病院やホテルの施設を利用した際にＩＣカードに設定された金額を減算していく地域・施設限定型の電子マネーシステムが利用されている。
【０００４】
このようなポストペイドカードの利用形態としては、ユーザはカード販売機で現金を入金し、この現金の価値が数値化されて記憶されたＩＣカードを受け取る。そして、施設内の売店や食堂を利用する度に、各所に設置されたＩＣカードリードライタで利用金額の数値を減算していく。
【０００５】
最後に、当該施設を利用しなくなったときには、ユーザはＩＣカード精算機によりＩＣカードに残存した数値に対応した現金を受け取るようになっいている。このようにＰＯＳシステムやＩＣカードが一般に使用されることに伴い、ＰＯＳシステムのデータとＩＣカードのデータを連携させるシステム（以下、ＩＣカードＰＯＳシステムという）が構築されるようになってきた。
【０００６】
【発明が解決しようとする課題】
しかしながら、従来のＩＣカードＰＯＳシステムでは、ＩＣカードリードライタを使用して商品等の代金を支払うことができるものの、ＩＣカードの残高を把握することが容易ではなかった。すなわち、ＩＣカードの使用履歴をプリントアウトすることができなかったため、残高のみの表示はできてもその使用履歴はユーザ自身でメモするしかなかった。
【０００７】
また、ＩＣカードリードライタ側でＰＯＳシステムに連携した情報（レシート）を印刷することはできなかった。すなわち、ＰＯＳシステムのＰＯＳ端末（レジスタ等）にバーコードリーダ等を介して入力された情報は、ＰＯＳシステムのプリンタ（例えば、ＰＯＳレジスタに内蔵されているプリンタ）で印刷するしかなかった。
【０００８】
さらに、あるユーザへの特定の商品の販売が禁止されている場合、その販売を防止することができなかった。例えば、アルコールやたばこを購入する事が出来ないユーザ（未成年者や病気の人等）が、アルコールやたばこを購入することを防止することはできなかった。
【０００９】
本発明は、このような点を鑑みてなされたものであり、ＩＣカードの使用履歴を出力することができ、ＩＣカードの情報とＰＯＳシステムの情報が連携したレシートを発行することができ、更に、ＩＣカードの情報をＰＯＳ端末でも管理することができるＩＣカードＰＯＳシステムを提供することを目的とする。
【００１０】
【課題を解決するための手段】
本発明は、前記課題を解決するために以下のような手段を採用した。すなわち、本発明は、ＩＣカードから情報を読み出すと共に情報を書き込むためのＩＣカードリードライタと、当該ＩＣカードリードライタに接続されて商品又はサービスの売上状況を管理するＰＯＳ端末から成るＩＣカードＰＯＳシステムであって、前記ＰＯＳ端末は、前記ＩＣカードリードライタによって読み出された前記ＩＣカードの情報を表示する表示手段と、前記ＩＣカードに書き込むべきＩＣカードの情報を入力する入力手段とを備え、前記ＩＣカードリードライタは、前記ＩＣカードから情報を読み取る読取手段と、前記入力手段を介して入力された前記ＩＣカードの情報を前記ＩＣカードに書き込む書込手段と、前記ＩＣカードの情報を出力する出力手段とを備えたＩＣカードＰＯＳシステムである。
【００１１】
表示手段がＩＣカードの情報を表示し、書込手段が入力手段を介して入力された情報をＩＣカードに書き込み、出力手段がＩＣカードの情報を出力する。これにより、ＩＣカードの情報を出力することができ、ＰＯＳシステムから入力された情報をＩＣカードリードライタ側で出力することができ、さらに、ＩＣカードの情報をＰＯＳ端末で管理することができる。これにより、ＰＯＳシステムとＩＣカードを利用した電子マネーシステムを円滑に連携させることができる。
【００１２】ここで、入力手段として、タッチスキャナ（バーコードリーダ）やタッチパネル等を使用してもよく、出力手段としてプリンタを使用してもよい。また、入力情報は、タッチスキャナを使用して商品等に付されたバーコードを読み取ることによって得られた情報でもよい。
【００１３】また、ＩＣカードの情報は、貨幣代替価値や特定商品又は特定サービスの販売可否を示すようにした。これにより、ＰＯＳシステムと電子マネーシステムとの連携を更に容易にすることができる。
【００１４】
さらに、前記書込手段は、前記入力手段から入力されたＩＣカードの情報に基づいて貨幣代替価値をＩＣカードに書き込むようにした。
ここで、貨幣代替価値は、タッチスキャナを使用して商品等に付されたバーコードを読み取ることによって得られた商品の金額情報であってもよい。
【００１５】また、前記ＰＯＳ端末は、前記読取手段によって読み取られたＩＣカードの情報を出力する第２の出力手段を更に備えるようにした。これにより、ＩＣカードの情報をＰＯＳ端末でも出力することができる。
【００１６】
【発明の実施の形態】
以下、図面を参照して、本発明の実施形態を具体的に説明する。
図１は、本発明によるの実施形態のＩＣカードＰＯＳシステムの概要を示す図である。
【００１７】
ＩＣカードＰＯＳシステム１０は、図１に示すように、販売時点でのデータを管理するＰＯＳ端末１２と、売上を登録をするためにバーコードをスキャンするタッチスキャナ１４と、ＩＣカードリーダライタ１６と、フロッピーディスク１８とを備えている。
【００１８】
ＰＯＳ端末１２は、ＰＣ（Ｐｅｒｓｏｎａｌ  Ｃｏｍｐｕｔｅｒ）を基盤に構築され、ＰＯＳ端末１２の操作者（すなわち、販売者）が情報を入力する際に使用されるタッチパネルとしての機能とＩＣカードＰＯＳシステム１０の情報を表示する機能を有する液晶ディスプレイ１２ａと、販売者が情報を入力するときに使用するテンキー１２ｂと、購入品目・金額等を表示するカスタマディスプレイ１２ｃと、ＩＣカードＰＯＳシステム１０の情報を印刷するサーマルプリンタ１２ｄとを備えている。
【００１９】
タッチスキャナ１４は、商品や包装に記されたバーコードを読み取るバーコードリーダである。
ＩＣカードリーダライタ１６は、ＲＳー２３２Ｃ等に準拠したケーブル１５を介してＰＯＳ端末１２に接続されている。このＩＣカードリーダライタ１６は、ＩＣカード１７を挿入するＩＣカード挿入口１６ａとリーダライタ（Ｒ／Ｗ）プリンタ１６ｂとを備え、ＩＣカード１７の外部に露出した電極１７ａを介して内部に格納されたメモリ１７ｂ（図２参照）の情報にアクセス可能となっている。
【００２０】
フロッピーディスク１８は、ジャーナル（定期的な）データを保存する媒体であり、他の媒体で代用してもよい。
図２は、ＩＣカードＰＯＳシステム１０の主機能を示すブロック図である。
【００２１】
ＩＣカードＰＯＳシステム１０は、３２ＭＢのメモリ（ＲＡＭ）２１を備えたＣＰＵ２２と、図１に示すＰＯＳ端末１２に内蔵された１．２ＧＢのＨＤＤ２３と、ＲＡＭ２１のデータを印刷するサーマルプリンタ１２ｄと、ＲＡＭ２１のデータを表示すると共にタッチパネルとしても機能する表示入力部２８（図１の液晶ディスプレイ１２ａとカスタマディスプレイ１２ｃに相当）と、商品に記されたバーコードを読み取り読みとった情報をＣＰＵ２２に入力するタッチスキャナ１４と、ＩＣカード１７のメモリ１７ｂのデータを電極１７ａを介して読みとる読取部２５と、メモリ１７ｂにデータを書き込む書込部２６と、メモリ１７ｂのデータを印刷するＲ／Ｗプリンタ１７ｃとを備えている。メモリ１７ｂに格納されたデータは、バックアップ用としてＨＤＤ２３に定期的に保存される。
【００２２】
図１のＰＯＳ端末１２が、ＲＡＭ２１、ＣＰＵ２２、ＨＨＤ２３、サーマルプリンタ１２ｄ及び表示入力部２８として機能し、ＩＣカードリーダライタ１６が、読取部２５、書込部２６、Ｒ／Ｗプリンタ１７ｃとして機能する。
【００２３】
このＩＣカードＰＯＳシステム１０によれば、あるユーザが商品を購入する場合、販売員がタッチスキャナ１４を用いてその商品に記されているバーコードを読み取ると共に、ＩＣカードをＩＣカードリーダライタ１６の挿入口１６ａに差し込む。すると、書込部２６は、タッチスキャナ１４によって読みとられた情報（商品の金額等）に基づいて、商品の代金を差し引いた情報をメモリ１７ｂに書き込み、Ｒ／Ｗプリンタ１７ｄは、メモリ１７ｄに書き込まれた情報をレシートとして出力する。
【００２４】
また、読取部２５は、ＩＣカードリーダライタ１６に挿入されたＩＣカード１７のユーザに関する情報（販売禁止品目、限度額等）を読み取り、ＣＰＵ２２は、そのユーザに関する情報を表示入力部２８（液晶ディスプレイ１２ａ）に表示する。販売員は、表示された当該ユーザに関する情報に基づいて、商品を販売の可否を判断することができる。
【００２５】
これにより、ＩＣカードリードライタ１６のＲ／Ｗプリンタ１７ｄもタッチスキャナ１４を介してＰＯＳ端末１２に入力されたデータに基づいてレシートを発行することができる。また、ＩＣカード１７のデータをＰＯＳ端末１２でも参照することができる。
【００２６】
次に、ＩＣカードＰＯＳシステム１０の主機能を説明する。
図３は、ＩＣカードＰＯＳシステム１０の仕様を示す図である。
ＩＣカードＰＯＳシステム１０は、主に、開店処理、売上登録処理、レシート出力処理、ＩＣカード管理処理、日次点検／日次精算処理、メンテナンス等の処理を実行する。具体的には、ＩＣカードＰＯＳシステム１０は、図３に示すように、「３．１  開店処理」から「３．１０．１０．２  ＰＯＳ番号設定」までの処理を実行する。尚、液晶ディスプレイ１２ａはタッチパネルとしても機能するので、液晶ディスプレイ１２ａに表示された項目を選択するときは、操作者は所望の項目にタッチすれば選択することができる。
【００２７】
ＩＣカードＰＯＳシステム１０の電源を投入すると、図４に示す開店処理の画面４１がＰＯＳ端末１２の液晶ディスプレイ１２ａに表示される。操作者は、この画面４１を介して、営業日付、担当者コード、担当者名、釣り銭登録額等の開店処理データを入力し、確定ボタンを選択（タッチ）する。確定ボタンを選択すると、開店処理データが保存され、図５に示すＰＯＳ基本メニュー画面４２が液晶ディスプレイ１２ａに表示される。電源ＯＦＦのボタンを選択すると、ＩＣカードＰＯＳシステム１０の電源はＯＦＦとなる。
【００２８】
図５に示されるＰＯＳ基本メニュー画面４２は、ＩＣカードＰＯＳシステム１０の基本的機能を選択するために使用される画面である。この画面４２は、「１売上登録」、「２  返品処理」、「３  点検処理」、「４  閉店処理」、「５ＩＣカード」、「６  予算売上管理」、「７  釣り銭登録」、「８  電子ジャーナル検索」、「９  メンテナンス」、「１０  ＰＯＳ担当者設定」、「１１  モードセット」、「９０  プログラムアップグレード」及び「９９  業務終了」を表示する。操作者が画面４２に表示された処理のいずれかを選択（タッチ）すると、選択された処理の画面がＰＯＳ端末１２の液晶ディスプレイ１２ａに表示される。
【００２９】
操作者がＰＯＳ基本メニュー画面４２にて「１  売上登録」を選択すると、図６に示す売上登録画面４３が液晶ディスプレイ１２ａに表示される。この売上登録画面４３は、ＰＬＵ部門入力キー、レシート番号、入力値、行取消ボタン、ＰＯＳ点検ボタン等を表示する。
【００３０】
また、売上登録画面４３が液晶ディスプレイ１２ａに表示されているとき、操作者がテンキー１２ｂの「カード決済」キーを押すと、図７に示すＩＣカード決済画面４４が液晶ディスプレイ１２ａに表示される。ＩＣカード決済画面４５は、ＩＣカード１７のメモリ１７ｂから読み出されたデータとタッチスキャナ１４を介して入力されたデータ、すなわち、ＩＣカード番号、氏名、プリペイド残高、ポストペイド貸付限度額、ポストペイド残高、たばこ購入可否、酒類購入可否、支払い種別、支払い金額等等を表示する。販売員は、この画面４４を見てタバコや酒類を販売することが出来るか否かを判断することができる。表示内容が適当であれば、操作者は確定ボタンを選択し、適当でなければキャンセルボタンを選択する。確定ボタン又はキャンセルボタンが選択されると、図６の売上登録画面４３に戻る。
【００３１】
そして、操作者がＰＯＳ基本メニュー画面４２にて「１  点検処理」を選択すると、図８に示す点検処理画面４６が液晶ディスプレイ１２ａに表示される。操作者が、この画面４６に表示される「１  売上点検レシート出力」又は「２  時間別点検」を選択すると、図９（ａ）に示すように、売上点検レシート１０１、時間別点検レシート１０２がサーマルプリンタ１２ｄから出力される。尚、各レシート１０１、１０２に印刷された項目は、図２（ｂ）に示す内容を示す。
【００３２】
操作者がＰＯＳ基本メニュー画面４２にて「５  ＩＣカード」を選択すると、図１０に示すＩＣカード画面４７が液晶ディスプレイ１２ａに表示される。操作者がこの画面４７に表示される項目のうち「１  ＩＣカード精算」を選択すると、図１１に示すＩＣカード精算画面４８が液晶ディスプレイ１２ａに表示される。
【００３３】
操作者が、このＩＣカード決済画面４８に表示されたデータを確認し、「確定」を選択すると、Ｒ／Ｗプリンタ１６ｂ又はサーマルプリンタ１２ｄは、図１２に示す「ご精算明細書」１０３をプリントアウトする。その後、液晶ディスプレイ１２ａは、ＩＣカード画面４７を再び表示する。
【００３４】
操作者がＩＣカード画面４７に表示される項目のうち「２  プリペイド入金」を選択すると、液晶ディスプレイ１２ａは、図１３に示すプリペイド入金画面４９を表示する。
【００３５】
操作者が、このプリペイド入金画面４９に表示されたデータを確認し、「確定」を選択すると、Ｒ／Ｗプリンタ１６ｂ又はサーマルプリンタ１２ｄは、図１３に示す「プリペイド入金計算書」１０４をプリントアウトする。その後、液晶ディスプレイ１２ａは、ＩＣカード画面４７を再び表示する。
【００３６】
操作者がＩＣカード画面４７に表示される項目のうち「３  プリペイド返金」を選択すると、液晶ディスプレイ１２ａは、図１４に示すプリペイド返金画面５０を表示する。
【００３７】
操作者が、このプリペイド返金５０に表示されたデータを確認し、「確定」を選択すると、Ｒ／Ｗプリンタ１６ｂ又はサーマルプリンタ１２ｄは、図１４に示す「プリペイド返金計算書」１０５をプリントアウトする。その後、液晶ディスプレイ１２ａは、ＩＣカード画面４７を再び表示する。
【００３８】
操作者がＩＣカード画面４７に表示される項目のうち「４  ＩＣカード内容検索」を選択すると、液晶ディスプレイ１２ａは、図１５に示すプリペイド返金画面５１を表示する。
【００３９】
操作者が、このプリペイド返金５０に表示されたデータを確認し、「履歴」を選択すると、Ｒ／Ｗプリンタ１６ｂ又はサーマルプリンタ１２ｄは、図１６に示す「ＩＣカード履歴点検レシート」１０６をプリントアウトする。その後、液晶ディスプレイ１２ａは、ＩＣカード画面４７を再び表示する。
【００４０】
操作者がＩＣカード画面４７に表示される項目のうち「５  ＩＣカード管理表」を選択すると、Ｒ／Ｗプリンタ１６ｂ又はサーマルプリンタ１２ｄは、図１７に示す「ＩＣカード管理表」１０７をプリントアウトする。その後、液晶ディスプレイ１２ａは、ＩＣカード画面４７を再び表示する。
【００４１】
操作者がＩＣカード画面４７に表示される項目のうち「６  未精算リスト」を選択すると、液晶ディスプレイ１２ａは、図１５に示す未精算リスト画面５２を表示する。操作者は、この画面５２を確認した後、「戻る」を選択すると、液晶ディスプレイ１２ａは、ＩＣカード画面４７を再び表示する。
【００４２】
Ｒ／Ｗプリンタ１６ｂ又はサーマルプリンタ１２ｄは、上述した以外にも、図１９に示す「日計精算レシート」１０８ａ、１０８ｂ、図２０に示す「予算実績照会レシート」１０９、図２１に示す「予算実績月別照会レシート」１１０、図２２に示す「担当者別売上レシート」１１１、図２３に示す「売上管理表（日報）」１１２ａ、１１２ｂ、図２３に示す「部門別売上管理表（日報）」１１３、図２５に示す「部門別売上管理表（月報）」１１４、図２６に示す「お買上計算書」１１５及び「返品計算書」１１６、図２７に示す「ＩＣカード未精算リスト」１１７及び「強制精算レシート」１１８等をプリントアウトする。
【００４３】
そして、営業終了時間になると、操作者は、ＰＯＳ基本メニュー画面４２から「４  閉店処理」を選択すると、液晶ディスプレイ１２ａは、図２８に示す閉店処理画５３を表示する。操作者がこの画面５３を確認し、「確定」を選択すると、Ｒ／Ｗプリンタ１６ｂ又はサーマルプリンタ１２ｄは、図２３に示す「売上管理表（日報）」１１１や図２４に示す「部門別売上管理表（日報）」１１２等をプリントアウトする。
【００４４】
【発明の効果】
本発明のＩＣカードＰＯＳシステムによれば、ＩＣカードの使用履歴を出力することができ、ＩＣカードの情報とＰＯＳシステムの情報が連携したレシートを発行することができ、ＩＣカードの情報をＰＯＳ端末でも管理することができる。
【図面の簡単な説明】
【図１】本発明の実施形態によるＩＣカードＰＯＳシステムの概要を示す図
【図２】ＩＣカードＰＯＳシステムの主機能を示す構成図
【図３】ＩＣカードＰＯＳシステムの機能構成図
【図４】ＩＣカードＰＯＳシステムにおける開店処理画面を説明する図
【図５】ＩＣカードＰＯＳシステムにおけるＰＯＳ基本メニュー選択画面を説明する図
【図６】ＩＣカードＰＯＳシステムにおける売上登録画面を説明する図
【図７】ＩＣカードＰＯＳシステムにおけるＩＣカード決済画面を説明する図
【図８】ＩＣカードＰＯＳシステムにおける点検処理画面を説明する図
【図９】売上点検レシートの説明図
【図１０】ＩＣカードＰＯＳシステムにおけるＩＣカード画面を説明する図
【図１１】ＩＣカードＰＯＳシステムにおけるＩＣカード精算画面を説明する図
【図１２】ご精算明細書の説明図
【図１３】ＩＣカードＰＯＳシステムにおけるプリペイド入金画面とプリペイド入金計算書を説明する図
【図１４】ＩＣカードＰＯＳシステムにおけるプリペイド返金画面とプリペイド返金計算書を説明する図
【図１５】ＩＣカードＰＯＳシステムにおけるＩＣカード内容検索画面を説明する図
【図１６】ＩＣカード履歴点検レシートの説明図
【図１７】ＩＣカード管理表の説明図
【図１８】ＩＣカードＰＯＳシステムにおける未精算リスト画面を説明する図
【図１９】日計精算レシートの説明図
【図２０】予算実績照会レシートの説明図
【図２１】予算実績月別照会レシートの説明図
【図２２】担当者別売上レシートの説明図
【図２３】売上管理表（日報）の説明図
【図２４】部門別売上管理表（日報）の説明図
【図２５】部門別売上管理表（月報）の説明図
【図２６】お買上計算書及び返品計算書の説明図
【図２７】ＩＣカード未精算リスト及び強制精算レシートの説明図
【図２８】ＩＣカードＰＯＳシステムにおける閉店処理画面を説明する図
【符号の説明】
１０    ＩＣカードＰＯＳシステム
１２    ＰＯＳ端末
１２ａ  液晶ディスプレイ
１２ｂ  テンキー
１２ｃ  カスタマディスプレイ
１２ｄ  サーマルプリンタ
１４    タッチスキャナ
１５    ケーブル
１６    ＩＣカードリーダライタ
１６ａ  ＩＣカード挿入口
１６ｂ  Ｒ／Ｗプリンタ
１７    ＩＣカード
１７ａ  電極
１７ｂ  メモリ
１８    フロッピーディスク
２１    ＲＡＭ
２２    ＣＰＵ
２３    ＨＤＤ
２５    読取部
２６    書込部
２８    表示入力部
【図１】
0003574750.tif 000002
【図２】
0003574750.tif 000003
【図３】
0003574750.tif 000004
【図４】
0003574750.tif 000005
【図５】
0003574750.tif 000006
【図６】
0003574750.tif 000007
【図７】
0003574750.tif 000008
【図８】
0003574750.tif 000009
【図９】
0003574750.tif 000010
【図１０】
0003574750.tif 000011
【図１１】
0003574750.tif 000012
【図１２】
0003574750.tif 000013
【図１３】
0003574750.tif 000014
【図１４】
0003574750.tif 000015
【図１５】
0003574750.tif 000016
【図１６】
0003574750.tif 000017
【図１７】
0003574750.tif 000018
【図１８】
0003574750.tif 000019
【図１９】
0003574750.tif 000020
【図２０】
0003574750.tif 000021
【図２１】
0003574750.tif 000022
【図２２】
0003574750.tif 000023
【図２３】
0003574750.tif 000024
【図２４】
0003574750.tif 000025
【図２５】
0003574750.tif 000026
【図２６】
0003574750.tif 000027
【図２７】
0003574750.tif 000028
【図２８】
0003574750.tif 000029